(57)【特許請求の範囲】
【請求項１】
光源からのレーザ光を分配して被写体と参照ミラーとに照射し、前記被写体で反射された計測光と前記参照ミラーで反射された参照光とを干渉させた干渉光を検出し、前記干渉光の検出信号を周波数解析することで、各画素が前記干渉光の反射強度を表した光干渉断層画像を生成し、表示する光干渉断層画像生成装置の光干渉断層画像表示制御装置であって、
前記光干渉断層画像と、当該光干渉断層画像に予め設定した線分上における前記干渉光の反射強度を表したグラフとを対応付けて表示する表示制御手段、
を備え、
前記表示制御手段は、
前記計測光の照射方向に沿った第１断層面の前記光干渉断層画像と、前記照射方向に沿い、かつ、前記第１断層面に直交する第２断層面の前記光干渉断層画像とを表示し、
前記第１断層面及び前記第２断層面が交わる線分上における前記グラフを表示することを特徴とする光干渉断層画像表示制御装置。
【請求項２】
光干渉断層画像生成装置の光干渉断層画像表示制御装置が前記光干渉断層画像生成装置の外部にある前記光干渉断層画像表示制御装置であって、
外部から、各画素が干渉光の反射強度を表した光干渉断層画像を入力する光干渉断層画像入力手段と、
前記光干渉断層画像と、当該光干渉断層画像に予め設定した線分上における前記干渉光の反射強度を表したグラフとを対応付けて表示する表示制御手段と、
を備え、
前記表示制御手段は、
計測光の照射方向に沿った第１断層面の前記光干渉断層画像と、前記照射方向に沿い、かつ、前記第１断層面に直交する第２断層面の前記光干渉断層画像とを表示し、
前記第１断層面及び前記第２断層面が交わる線分上における前記グラフを表示することを特徴とする光干渉断層画像表示制御装置。
【請求項３】
前記表示制御手段は、前記干渉光の最大反射強度を基準とする相対値により、前記干渉光の反射強度を表した前記グラフを表示する請求項１又は請求項２に記載の光干渉断層画像表示制御装置。
【請求項４】
前記表示制御手段は、前記干渉光の反射強度を絶対値で表した前記グラフを表示する請求項１又は請求項２に記載の光干渉断層画像表示制御装置。
【請求項５】
前記表示制御手段は、前記干渉光の最大反射強度を基準とする相対値により、前記干渉光の反射強度を表した前記光干渉断層画像を表示する請求項１から請求項４の何れか一項に記載の光干渉断層画像表示制御装置。
【請求項６】
コンピュータを、請求項１から請求項５の何れか一項に記載の光干渉断層画像表示制御装置として機能させるための光干渉断層画像表示制御プログラム。
【発明の詳細な説明】
【技術分野】
【０００１】
本願発明は、光のコヒーレント（干渉性）を利用した被写体の光干渉断層画像を表示する光干渉断層画像表示制御装置及びそのプログラムに関する。
【背景技術】
【０００２】
歯科患者の口腔内組織を被写体とした光干渉断層画像を撮影するための光干渉断層画像生成装置（Optical Coherence Tomography：以下、ＯＣＴ装置という）では、光源から照射されたレーザ光を計測光と参照光とに分配し、計測光をプローブから被写体に照射すると共に、参照光を参照ミラーに照射する。そして、従来のＯＣＴ装置は、口腔内組織から反射して戻ってきた散乱光をプローブで検出し、散乱光と参照ミラーからの反射光とを光合波器で合成し、その干渉光を周波数解析することで、光干渉断層画像を生成する（例えば、特許文献１参照）。
【０００３】
この光干渉断層画像は、各画素の輝度値が干渉光の反射強度を表しており、通常、干渉光の反射強度が最大となる画素を基準として、他の画素の輝度値を反射強度の最大値に対する相対値で表している。
【先行技術文献】
【特許文献】
【０００４】
【特許文献１】特開２０１２−２１１７９７号公報（図９，図１０）
【発明の概要】
【発明が解決しようとする課題】
【０００５】
しかし、従来のＯＣＴ装置では、光干渉断層画像上で干渉光の反射強度の細かな変動を目視しにくく、被写体内部に存在する散乱体や反射体からの反射強度の把握が困難な場合がある。
【０００６】
そこで、本願発明は、被写体内部に存在する散乱体や反射体からの反射強度を定量的に把握できる光干渉断層画像表示制御装置及びそのプログラムを提供することを課題とする。
【課題を解決するための手段】
【０００７】
前記した課題を解決するため、本願発明に係る光干渉断層画像表示制御装置は、光源からのレーザ光を分配して被写体と参照ミラーとに照射し、前記被写体で反射された計測光と前記参照ミラーで反射された参照光とを干渉させた干渉光を検出し、前記干渉光の検出信号を周波数解析することで、各画素が前記干渉光の反射強度を表した光干渉断層画像を生成し、表示する光干渉断層画像生成装置の光干渉断層画像表示制御装置であって、前記光干渉断層画像と、当該光干渉断層画像に予め設定した線分上における前記干渉光の反射強度を表したグラフとを対応付けて表示する表示制御手段、を備え、前記表示制御手段は、前記計測光の照射方向に沿った第１断層面の前記光干渉断層画像と、前記照射方向に沿い、かつ、前記第１断層面に直交する第２断層面の前記光干渉断層画像とを表示し、前記第１断層面及び前記第２断層面が交わる線分上における前記グラフを表示する構成とした。
【０００８】
かかる構成によれば、光干渉断層画像表示制御装置は、干渉光の反射強度を表したグラフを光干渉断層画像に対応付けて表示するので、干渉光の反射強度の細かな変動が目視しやすくなる。
さらに、光干渉断層画像表示制御装置は、被写体のどの部分の反射強度をグラフが表しているかを容易に把握できるので、光干渉断層画像を用いた診察をより正確に行うことができる。
【０００９】
また、前記した課題を解決するため、本願発明に係る光干渉断層画像表示制御装置は、光干渉断層画像生成装置の光干渉断層画像表示制御装置が前記光干渉断層画像生成装置の外部にある前記光干渉断層画像表示制御装置であって、外部から、各画素が干渉光の反射強度を表した光干渉断層画像を入力する光干渉断層画像入力手段と、前記光干渉断層画像と、当該光干渉断層画像に予め設定した線分上における前記干渉光の反射強度を表したグラフとを対応付けて表示する表示制御手段と、を備え、前記表示制御手段は、計測光の照射方向に沿った第１断層面の前記光干渉断層画像と、前記照射方向に沿い、かつ、前記第１断層面に直交する第２断層面の前記光干渉断層画像とを表示し、前記第１断層面及び前記第２断層面が交わる線分上における前記グラフを表示する構成とした。
【００１０】
かかる構成によれば、光干渉断層画像表示制御装置は、干渉光の反射強度を表したグラフを光干渉断層画像に対応付けて表示するので、干渉光の反射強度の細かな変動が目視しやすくなる。
さらに、光干渉断層画像表示制御装置は、被写体のどの部分の反射強度をグラフが表しているかを容易に把握できるので、光干渉断層画像を用いた診察をより正確に行うことができる。
【００１３】
また、本願発明に係る光干渉断層画像表示制御装置は、前記表示制御手段が、前記干渉光の最大反射強度を基準とする相対値により、前記干渉光の反射強度を表した前記グラフを表示することが好ましい。
【００１４】
かかる構成によれば、光干渉断層画像表示制御装置は、干渉光の反射強度が偏っている場合でもグラフの変化が明確になるので、光干渉断層画像を用いた診察をより正確に行うことができる。
【００１５】
また、本願発明に係る光干渉断層画像表示制御装置は、前記表示制御手段が、前記干渉光の反射強度を絶対値で表した前記グラフを表示することが好ましい。
【００１６】
かかる構成によれば、光干渉断層画像表示制御装置は、同一の被写体における反射強度の経時変化を定量的に把握したり、異なる被写体間で反射強度を定量的に比較できるので、光干渉断層画像を用いた診察をより正確に行うことができる。
【００１７】
また、本願発明に係る光干渉断層画像表示制御装置は、前記表示制御手段が、前記干渉光の最大反射強度を基準とする相対値により、前記干渉光の反射強度を表した前記光干渉断層画像を表示することが好ましい。
【００１８】
かかる構成によれば、光干渉断層画像表示制御装置は、干渉光の反射強度が偏っている場合でも光干渉断層画像の濃淡が明確になるので、光干渉断層画像を用いた診察をより正確に行うことができる。
【発明の効果】
【００１９】
本願発明によれば、以下のような優れた効果を奏する。
本願発明に係る光干渉断層画像表示制御装置は、干渉光の反射強度の細かな変動を目視しやすいので、被写体内部に存在する散乱体や反射体からの反射強度を定量的に把握でき、光干渉断層画像を用いた診察をより正確に行うことができる。
【図面の簡単な説明】
【００２０】
【図１】本願発明の実施形態に係るＯＣＴ装置の外観図であって、（ａ）は単関節アーム型、（ｂ）は多関節アーム型をそれぞれ示している。
【図２】本願発明の実施形態に係るＯＣＴ装置のユニット構成を模式的に示す構成図である。
【図３】本願発明の実施形態に係るＯＣＴ装置の診断プローブの内部におけるレーザ光の光路を示す概略図である。
【図４】本願発明の実施形態に係るＯＣＴ制御装置の構成を示すブロック図である。
【図５】本願発明の実施形態に係るＯＣＴ制御装置によるＯＣＴ画像の説明図である。
【図６】本願発明の実施形態に係るＯＣＴ制御装置による画面表示例の説明図である。
【図７】図６の３Ｄ画像の拡大図である。
【図８】図６のグラフの説明図である。
【図９】本願発明の実施形態に係るＯＣＴ制御装置によるコントラスト調整画面の表示例の説明図である。
【図１０】本願発明の実施形態に係るＯＣＴ制御装置によるグラフ表示例の説明図であり、（ａ）は絶対値のグラフ、（ａ）は相対値のグラフをそれぞれ示している。
【図１１】本願発明の実施形態に係るＯＣＴ制御装置によるＯＣＴ画像の表示例の説明図であり、相対値のＯＣＴ画像を示している。
【図１２】本願発明の実施形態に係るＯＣＴ制御装置の動作を示すフローチャートである。
【図１３】本願発明の変形例に係るビューワＰＣの構成を示すブロック図である。
【発明を実施するための形態】
【００２１】
以下、本願発明の実施形態として、ＯＣＴ装置（光干渉断層画像生成装置）の概要、ＯＣＴ制御装置（光干渉断層画像表示制御装置）の構成、表示装置の画面表示例、ＯＣＴ制御装置の動作を順に説明する。なお、同一手段には同一の符号を付し、説明を省略した。
【００２２】
［ＯＣＴ装置の概要］
ＯＣＴ装置の概要について、ＯＣＴ装置によって撮影するサンプル（被写体）を患者の歯牙であるものとして、図１，図２を参照して説明する。図１，図２のように、ＯＣＴ装置１は、光学ユニット部１０と、診断プローブ部３０と、制御ユニット部５０と、を備える。
【００２３】
＜光学ユニット部＞
光学ユニット部１０は、一般的な光コヒーレンストモグラフィの各方式が適用可能な光源、光学系、検出部を備えている。図２のように、光学ユニット部１０は、サンプル（被写体）９にレーザ光を周期的に照射する光源１１と、サンプル９の内部情報を検出するディテクタ２３と、光源１１とディテクタ２３との間の光路中に設けられた光ファイバや各種光学部品等を備えている。
【００２４】
ここで、光学ユニット部１０の概略を説明する。
光源１１から出射された光は、光分割手段であるカップラ１２により、計測光と参照光とに分けられる。計測光は、サンプルアーム１３のサーキュレータ１４から診断プローブ部３０に入射する。この計測光は、診断プローブ部３０のシャッタ３１が開状態において、コリメータレンズ３２、ガルバノミラー３３を経て集光レンズ３４によってサンプル９に集光され、そこで散乱、反射した後に再び集光レンズ３４、ガルバノミラー３３、コリメータレンズ３２を経てサンプルアーム１３のサーキュレータ１４に戻る。戻ってきた計測光は、カップラ１６を介してディテクタ２３に出力される。
【００２５】
一方、カップラ１２により分離された参照光は、レファレンスアーム１７のサーキュレータ１８からコリメータレンズ１９を経て集光レンズ２０によってレファレンスミラー２１に集光され、そこで反射した後に再び集光レンズ２０、コリメータレンズ１９を経てサーキュレータ１８に戻る。戻ってきた参照光は、カップラ１６を介してディテクタ２３に出力される。つまり、カップラ１６は、サンプル９で散乱、反射して戻ってきた計測光と、レファレンスミラー２１で反射した参照光とを合波する。そして、ディテクタ２３は、合波により干渉した光（干渉光）をサンプル９の内部情報として検出し、検出信号（アナログ信号）として制御ユニット部５０に出力する。なお、サンプルアーム１３の偏光コントローラ１５、および、レファレンスアーム１７の偏光コントローラ２２は、診断プローブ部３０を含むＯＣＴ装置１内部に生じた偏光を、より偏光の少ない状態に戻すために設置されている。
【００２６】
光源１１としては、例えばＳＳ（Swept Source）−ＯＣＴ方式用のレーザ光源を用いることができる。この場合、光源１１は、例えば、中心波長１３１０ｎｍ、掃引波長幅１００ｎｍ、掃引速度５０ｋＨｚ、可干渉距離（コヒーレント長）が１４ｍｍの性能のものが好ましい。ここで、可干渉距離とは、パワースペクトルの減衰が６ｄＢとなるときの距離に相当する。なお、可干渉距離は１０ｍｍ以上４８ｍｍ未満の高コヒーレントなものが好ましいが、これに限定されるものではない。サンプル９が例えば臼歯の場合、その深さ方向（光軸方向）のより深い位置の内部情報を取得できることが好ましく、１０ｍｍ以上あれば、歯牙特有のもの（う蝕等）を撮影することが可能だからである。また、４８ｍｍ以上の可干渉距離を有する光源を搭載するＯＣＴ装置は理論上可能であるが、この光源は波数（波長）を階段状に掃引するというＳＳ−ＯＣＴ方式であるため、掃引速度や分解能などを含めた総合的性能をこの光源に求めると、光源自体の製作が困難になるため可干渉距離を４８ｍｍ未満とするのが現実的である。
【００２７】
＜診断プローブ部＞
診断プローブ部３０は、レーザ光を２次元走査するガルバノミラー３３を備え、光学ユニット部１０からのレーザ光をサンプル９に導くと共に、サンプル９で反射した光を光学ユニット部１０に導くものである。
【００２８】
診断プローブ部３０は、ケーブル６０を介して、光学ユニット部１０及び制御ユニット部５０に接続されている。ケーブル６０は、光学ユニット部１０に接続された光ファイバと、制御ユニット部５０に接続された通信線とを内蔵している。
【００２９】
撮影中以外のときには、診断プローブ部３０を、図１（ａ）のように、ＯＣＴ装置１の上部に配置された表示装置５４の下部側から水平方向に延伸した単関節アーム７０の先端のホルダに保持させておく。これにより、収納時には、長いケーブル６０であってもケーブルを捻じったりすることなく収納し、収納スペースを低減することができる。
【００３０】
一方、撮影時には、利用者は、診断プローブ部３０を単関節アーム７０のホルダから外して把持し、手振れ防止等のため診断プローブ部３０を患者に対して当接させる。このとき利用者の両手が塞がっていたとしても撮影開始ボタンを操作するために、制御ユニット部５０に有線又は無線で通信可能に接続されたフットコントローラ８０を用いることもできる。
【００３１】
図１（ｂ）に示すＯＣＴ装置１Ａは、撮影中以外のときには、診断プローブ部３０を、ＯＣＴ装置１Ａの上部に配置された表示装置５４の上部側から水平方向に延伸した多関節アーム７０Ａの先端のホルダに保持させておくことができるようにした点以外は、図１（ａ）に示すＯＣＴ装置１と同様なものである。多関節アーム７０Ａは、単関節アーム７０に比べて、基端から先端のホルダまでの長さが長く、床からより高い位置に配置されている。そのため、ケーブル６０の垂れ下がりが低減できる。このようにケーブル６０が床に着かないメリットとして、衛生的である点が挙げられる。また、これにより、操作性を向上させ、垂れ下がったケーブル６０を誤って踏んだりすることを防止できる。
【００３２】
診断プローブ部３０に設けられたガルバノミラー３３は、図３のように、Ｘ方向ガルバノミラー３３Ｘと、Ｙ方向ガルバノミラー３３Ｙとで構成されている。光源１１から照射されたレーザ光は、Ｘ方向ガルバノミラー３３Ｘと、Ｙ方向ガルバノミラー３３Ｙとを介してサンプル９に照射される。
なお、Ｘ方向およびＹ方向とは、診断プローブ部３０のノズル先端（図３において左端）が正対するサンプル９の表面および縦方向に対応する。
【００３３】
Ｘ方向ガルバノミラー３３Ｘは、コリメータレンズ３２側に設けられている。このＸ方向ガルバノミラー３３Ｘは、ミラー面（Ａ−Ｖ平面）を、Ａ方向を軸としてモータ駆動により回転するものである。このとき、取得されるデータの方向は、サンプル９の表面において横方向（Ｘ軸方向）のデータであり、Ｂ方向のデータ（以下、Ｂラインデータという）となる。
【００３４】
Ｙ方向ガルバノミラー３３Ｙは、集光レンズ３４側に設けられている。このＹ方向ガルバノミラー３３Ｙは、ミラー面（Ｂ−Ｖ平面）を、Ｂ方向を軸としてモータ駆動により回転するものである。このとき、取得されるデータの方向は、サンプル９の表面において縦方向（Ｙ軸方向）のデータであり、Ｖ方向のデータ（以下、Ｖラインデータという）となる。
【００３５】
＜制御ユニット部＞
制御ユニット部５０は、ＯＣＴ装置１の各種制御を行うものである。図２のように、制御ユニット部５０は、ＡＤ変換回路５１と、ＤＡ変換回路５２と、ガルバノミラー制御回路５３と、表示装置５４と、ＯＣＴ制御装置１００とを備える。
【００３６】
ＡＤ変換回路５１は、ディテクタ２３から入力された検出信号（アナログ信号）をデジタル信号に変換するものである。本実施形態では、ＡＤ変換回路５１は、光源１１から入力されたトリガ（trigger）に同期して変換を開始する。そして、ＡＤ変換回路５１は、光源１１から入力されたクロック信号ｃｋのタイミングに合わせて、ディテクタ２３から入力され検出信号をデジタル信号に変換し、変換した検出信号をＯＣＴ制御装置１００に出力する。
【００３７】
ＤＡ変換回路５２は、ＯＣＴ制御装置１００から入力された制御信号（デジタル信号）をアナログ信号に変換するものである。本実施形態では、ＤＡ変換回路５２は、光源１１から入力されたトリガ（trigger）に同期して、ＯＣＴ制御装置１００から入力された制御信号をアナログ信号に変換する。そして、ＤＡ変換回路５２は、変換した制御信号をガルバノミラー制御回路５３に入力する。
【００３８】
ガルバノミラー制御回路５３は、診断プローブ部３０のガルバノミラー３３を制御するドライバである。ガルバノミラー制御回路５３は、ＤＡ変換回路５２から入力された制御信号に基づいて、光源１１が出射するレーザの出力周期に同期して、Ｘ方向ガルバノミラー３３Ｘ又はＹ方向ガルバノミラー３３Ｙのモータを駆動又は停止させるモータ駆動信号を出力する。
【００３９】
表示装置５４は、ＯＣＴ制御装置１００が生成した光干渉断層画像（以下、ＯＣＴ画像という）を表示するものである。表示装置５４は、例えば、液晶ディスプレイ（ＬＣＤ：Liquid Crystal Display）、ＥＬ（Electronic Luminescence）、ＣＲＴ（Cathode Ray Tube）、ＰＤＰ（Plasma Display Panel）等から構成される。
【００４０】
［ＯＣＴ制御装置の構成］
図４を参照し、ＯＣＴ制御装置１００の構成について説明する（適宜図１，図２参照）。
ＯＣＴ制御装置１００は、レーザ光に同期してガルバノミラー３３の駆動を制御すると共に、ディテクタ２３からの検出信号からサンプル９のＯＣＴ画像を生成するものである。図４のように、ＯＣＴ制御装置１００は、入出力手段１１０と、記憶手段１２０と、演算手段１３０と、を備える。
【００４１】
入出力手段１１０は、外部との間で各種情報の入出力を行うインタフェースである。
記憶手段１２０は、各種情報を記憶するＲＡＭ（Random Access Memory）、ＲＯＭ（Read Only Memory）等のメモリやハードディスクである。例えば、記憶手段１２０は、後記する患者ファイル１２１、ＣＳＶファイル１２４及び画像ファイル１２５を記憶する。
演算手段１３０は、各種演算を行うものであり、撮影制御手段１４０と、画像処理手段１５０と、表示制御手段１６０と、患者ファイル生成手段１７０とを備える。
【００４２】
撮影制御手段１４０は、外部からの入力に基づいて、撮影の制御を行うものである。
例えば、撮影制御手段１４０は、外部から測定指示の入力を受け付けたときに撮影を開始し、当該所定ピッチに応じた撮影時間で撮影を終了する制御を行う。撮影制御手段１４０は、画像処理手段１５０に対して、撮影により取得された検出信号を画像処理させる。この測定指示に基づいて、ガルバノミラー３３が所定ピッチで走査して取得した検出信号を画像処理手段１５０によって画像処理することによって、所定の解像度でサンプルＳのＯＣＴ画像を表示装置５４に表示することができる。
【００４３】
本実施形態では、光源１１の掃引速度５０ｋＨｚのときに、一例として、２００測定、３００測定、４００測定の３つの測定モードを備えることとした。
２００測定時には、サンプルＳの表面に対応した、２００×２００ピクセルのポイントにてＡラインデータを取得し、その画像情報を表示させる。
３００測定時には、サンプルＳの表面に対応した、３００×３００ピクセルのポイントにてＡラインデータを取得し、その画像情報を表示させる。
４００測定時には、サンプルＳの表面に対応した、４００×４００ピクセルのポイントにてＡラインデータを取得し、その画像情報を表示させる。
ここで、何れかの測定モードの撮影により取得された検出信号は、画像処理手段１５０で画像処理される。この測定モードでは、１ボリューム分のＯＣＴ画像として、２００枚、３００枚、又は、４００枚のスライド画像が生成される。
【００４４】
また、撮影制御手段１４０は、外部からプレビュー指示の入力を受け付けたときに撮影を開始し、プレビュー指示を解除する指示の入力を受け付けたときに撮影を終了する制御を行う。撮影制御手段１４０は、画像処理手段１５０に対して、撮影により取得された検出信号を画像処理させる。このプレビュー指示に基づいて、ガルバノミラー３３が前記所定ピッチよりも粗いピッチで走査して取得した検出信号を画像処理手段１５０によって画像処理することによって、前記所定の解像度よりも低い解像度でサンプルＳの光干渉断層画像を表示装置５４に表示することができる。なお、プレビュー指示により表示する低解像度の画像は、サンプルＳにおける光軸に沿った方向（Ａ方向のデータ）については、測定モードの解像度と同じである。
【００４５】
以下、このモードをプレビューモードという。
本実施形態では、プレビューモードは、光源１１の掃引速度５０ｋＨｚのときに、サンプルＳの表面に対応した、例えば１２８×１２８ピクセルのポイントにてＡラインデータを取得し、その画像情報を表示させる。また、本実施形態では、プレビューモードは、前記した測定指示で何れかの測定モードになるときに終了するものとする。つまり、プレビューの解除指示は、測定指示が兼用している。このプレビューモードでは、１ボリューム分のＯＣＴ画像として、１２８枚のスライド画像が生成される。
【００４６】
また、撮影制御手段１４０は、サンプル９の撮影対象範囲として、マウス、キーボート等の入力装置Ｍにより利用者が選択したエリアを受け付け、選択されたエリアに従ってガルバノミラー３３の走査範囲を設定する。そして、撮影制御手段１４０は、設定された走査範囲をレーザ光が走査するように制御信号（デジタル信号）を生成し、ＤＡ変換回路５２を介して、生成した制御信号をガルバノミラー制御回路５３に出力する。
【００４７】
画像処理手段１５０は、ＡＤ変換回路５１を介して、ディテクタ２３から入力された検出信号を画像処理し、各種画像を生成するものである。図４のように、画像処理手段１５０は、オンファス画像生成手段１５１と、ＯＣＴ画像生成手段１５２と、レンダリング手段１５３と、を備える。
【００４８】
オンファス画像生成手段１５１は、サンプル９における光軸に垂直な方向（Ｂ方向、Ｖ方向）のスキャン面の２次元画像として、レーザ光が照射されたサンプル９の表面の情報と、サンプル９における光軸に沿った方向（Ａ方向）の情報とが合わさった画像であるオンファス画像を生成するものである。
【００４９】
本実施形態では、オンファス画像生成手段１５１は、サンプル９を撮影して取得したサンプル９における光軸に沿った方向のそれぞれのデータ（後記するＡラインデータ）で示される強度を平均化した値を、ガルバノミラー３３で走査する２次元方向に対してそれぞれ求めることで、オンファス画像を生成することとした。
なお、オンファス画像の生成手法は、特開２０１２−２１１７９７号公報に詳細に記載されているため、これ以上の説明を省略する。
【００５０】
ＯＣＴ画像生成手段１５２は、サンプル９を撮影して取得したデータから、サンプル９における光軸に沿った方向の断層面のＯＣＴ画像を生成するものである。このＯＣＴ画像は、各画素が、断層面における干渉光の反射強度を表した画像であり、干渉光の反射強度が高い画素を濃く（明るく）、干渉光の反射強度が低い画素を薄く（暗く）なる。
【００５１】
＜立体スキャンの手順＞
図５を参照し、ＯＣＴ制御装置１００が２次元のＯＣＴ画像を生成し、さらに立体のスキャンを行う手順について説明する（適宜図４参照）。
事前に、患者の歯牙（サンプル９）の位置付けを行う。また、利用者の操作に基づいて、撮影制御手段１４０は、ガルバノミラー３３の走査範囲を設定する。
【００５２】
図５（ａ）及び図５（ｂ）に示すＡライン、Ｂライン、Ｖラインは、図３に示す診断プローブ部３０のＡ軸、Ｂ軸、Ｖ軸に沿った方向を指している。図５（ａ）に示すＡラインは、サンプル９の表面から深さ方向に相当し、Ｂラインは、サンプル９の幅方向に相当する。図５（ｂ）に示すＶラインは、サンプル９の奥行方向に相当する。予め定められた範囲のＡライン、Ｂライン、Ｖラインの各データを取得すると、１ボリュームの立体（３Ｄ）のスキャンを行うことができる。
【００５３】
本実施形態では、ＯＣＴ画像生成手段１５２が、１１５２ポイントのＡラインデータ（Ａラインの内部情報（断層情報））を取得する。この場合、診断プローブ部３０のノズル先端に位置付けされたサンプル９の位置に合わせた立方体の仮想空間を想定し、その仮想空間のノズル側最表面を示す第０番目のポイントを波形データの開始点、仮想空間の深さ側の最表面を示す第１１５１番目のポイントを波形データの終了点として、１１５２ポイントのＡラインデータを取得する。なお、各々の点が深さの位置を示すわけではない。
【００５４】
そして、ＯＣＴ画像生成手段１５２は、収録されたデータが有限であることによる影響を最小化するために、窓関数を時間領域の計測信号に適用する（ウィンドウ処理を行う）。これにより、急激な推移のない連続的な波形が得られる。
【００５５】
そして、ＯＣＴ画像生成手段１５２は、Ａラインデータに対して周波数解析（ＦＦＴ処理）ができるようにするため、また、ＦＦＴ処理後のスペクトルの形を滑らかにするために、１１５２ポイントのＡラインデータにゼロサプレスを行い２０４８ポイントのデータとする。つまり、ＯＣＴ画像生成手段１５２は、１１５２ポイントのＡラインデータに、８９６ポイントを追加し、追加した各ポイントの波形の振幅を全て０として扱う。
【００５６】
そして、ＯＣＴ画像生成手段１５２は、この連続的な２０４８ポイントからなる波形を周波数解析（ＦＦＴ処理）することで、１０２４点の周波数成分を求める。周波数解析の結果、波形データの中に周波数の低い成分が含まれている場合は浅い位置に、周波数の高い成分が含まれている場合は深い位置に反射体や散乱体が存在することが分かる。
【００５７】
撮影制御手段１４０は、Ｙ方向ガルバノミラー３３Ｙが所定の回転角度のときに、Ｘ方向ガルバノミラー３３Ｘの軸を僅かに回転させて、レーザの照射位置を、Ｂラインに沿って横方向（Ｘ軸方向）に移動させる。その後、ＯＣＴ画像生成手段１５２は、Ａラインデータを取得する。これを、ＯＣＴ画像生成手段１５２は、Ｂラインの予め定めたポイント数（例えば１２８ポイント）と同じ回数だけ繰り返し、ＯＣＴ画像（Ａ、Ｂラインデータ）を取得する。なお、Ｂラインデータとは、Ｂラインの内部情報である。
【００５８】
ここで、ＯＣＴ画像生成手段１５２は、Ａラインの１０２４個の振幅強度を１０２４個の画素の画素値（輝度値）に変換することで、ＯＣＴ画像を生成する。例えば、この画素値を１２ビットで表すと、０〜４０９５の数値なので、１０２４個の振幅強度に、０〜４０９５の何れかを割り当てればよい。
【００５９】
さらに、撮影制御手段１４０は、Ｙ方向ガルバノミラー３３Ｙの軸を僅かに回転させて、レーザの照射位置を、Ｖラインに沿って縦方向（Ｙ軸方向）に移動させる。そして、ＯＣＴ画像生成手段１５２は、ＯＣＴ画像（Ａ、Ｂラインデータ）を取得していく。これを、ＯＣＴ画像生成手段１５２は、Ｖラインの予め定めたポイント数（例えば１２８ポイント）と同じ回数だけ繰り返す。このようにして、サンプル９全体のＯＣＴ画像が得られる。
【００６０】
ＢラインおよびＶラインの予め定めたポイント数として、例えば、プレビュー時は１２８ポイント、計測時は、例えば２００ポイント、３００ポイント、４００ポイントの中から選択できるようにする。
【００６１】
図４に戻り、ＯＣＴ制御装置１００の構成について、説明を続ける。
レンダリング手段１５３は、サンプル９の３Ｄ画像をレンダリングにより生成するものである。この３Ｄ画像は、所望の視点から見たときのサンプル９の３次元形状を表した画像である。
なお、３Ｄ画像の生成手法は、特開２０１２−２１１７９７号公報に詳細に記載されているため、これ以上の説明を省略する。
【００６２】
表示制御手段１６０は、外部からの入力に基づいて、ＯＣＴ装置１の画像表示を制御するものである。図４のように、表示制御手段１６０は、表示形式選択手段１６１と、コントラスト調整手段１６２と、画像・グラフ表示手段１６３と、ファイル出力手段１６４と、を備える。
【００６３】
表示形式選択手段１６１は、画像処理手段１５０が生成したグラフの表示形式を利用者に選択させるものである。本実施形態では、表示形式選択手段１６１は、表示形式として、相対値表示又は絶対値表示の何れかを利用者に選択させる。
相対値表示は、干渉光の反射強度を、干渉光の最大反射強度を基準とする相対値で表した表示形式である。この最大反射強度は、１ボリュームに含まれる複数のＯＣＴ画像（例えば、４００測定の測定モードであれば４００枚のＯＣＴ画像）のうち、干渉光の反射強度が最大となるものである。
絶対値表示は、干渉光の反射強度を絶対値（例えば、デシベル値）で表した表示形式である。
【００６４】
コントラスト調整手段１６２は、画像処理手段１５０が生成した各画像を表示するときのコントラストを調整するものである。本実施形態では、コントラスト調整手段１６２は、コントラストを利用者に設定させ、その設定結果に従って、コントラストを調整する。
【００６５】
画像・グラフ表示手段１６３は、画像処理手段１５０が生成した各画像と、後記するグラフとを表示装置５４に表示するものである。
本実施形態では、画像・グラフ表示手段１６３は、ＯＣＴ画像生成手段１５２が生成したＯＣＴ画像を、グラフに対応付けて相対値で表示する。
また、画像・グラフ表示手段１６３は、オンファス画像生成手段１５１が生成したオンファス画像と、レンダリング手段１５３が生成した３Ｄ画像とを表示する。
また、画像・グラフ表示手段１６３は、表示形式選択手段１６１が選択した表示形式でグラフを表示する。
【００６６】
ファイル出力手段１６４は、サンプル９全体について、干渉光の反射強度の数値データをカンマ区切りで格納したＣＳＶファイル１２４と、ＯＣＴ画像の画像ファイル１２５とを生成するものである。このとき、ファイル出力手段１６４は、表示形式選択手段１６１の表示形式で干渉光の反射強度が表されたＣＳＶファイル１２４を生成する。そして、ファイル出力手段１６４は、生成したＣＳＶファイル１２４及び画像ファイル１２５を記憶手段１２０に格納する。
【００６７】
患者ファイル生成手段１７０は、患者の診断対象の歯牙であるサンプル９を撮影する前に、利用者が入力装置Ｍから入力した当該患者の個人情報や撮影対象の歯番等の患者個人情報１２２を含む患者ファイル１２１を作成するものである。
【００６８】
本実施形態では、患者ファイル生成手段１７０は、利用者による保存操作に従って、撮影前に入力された患者個人情報１２２と、撮影された画像情報１２３とを紐付けて、患者ファイル１２１として記憶手段１２０に格納する。なお、格納される患者ファイル１２１の数は任意である。
【００６９】
［表示装置の画面表示例］
図６を参照し、表示装置５４の画面表示例について説明する（適宜図４参照）。
本実施形態では、画像・グラフ表示手段１６３は、図６のようなオンライン画面２００を表示装置５４に表示する。
【００７０】
このオンライン画面２００には、左側に３Ｄ画面２１０が配置され、中央下側にオンファス画面２２０が配置されている。また、オンライン画面２００には、中央上側及び右側上下にＯＣＴ画面２３０Ａ，２３０Ｌ，２３０Ｓが配置されている。また、オンライン画面２００には、ＯＣＴ画面２３０Ａ，２３０Ｌの間にグラフ画面２４０が配置されている。また、オンライン画面２００には、３Ｄ画面２１０の上部、及び、オンファス画面２２０とＯＣＴ画面２３０Ｓとの間にそれぞれ、ユーザインターフェース２５０，２６０が配置されている。
【００７１】
３Ｄ画面２１０は、レンダリング手段１５３で生成された３Ｄ画像が表示されている。例えば、利用者が３Ｄ画面２１０をマウス（不図示）でドラッグすると、画像・グラフ表示手段１６３は、３Ｄ画面２１０の表示視点を変更する。
【００７２】
ここで、利用者がチェックボックス「フレーム表示」をチェックすると、画像・グラフ表示手段１６３は、３Ｄ画面２１０にＡスライス、Ｌスライス及びＳスライスを表示する。さらに、画像・グラフ表示手段１６３は、図示を省略するが、スライス毎に予め設定された色の太枠でＯＣＴ画面２３０Ａ，２３０Ｌ，２３０Ｓを囲ってもよい。例えば、３Ｄ画面２１０のＡスライス及びＯＣＴ画面２３０Ａの太枠を赤色、３Ｄ画面２１０のＬスライス及びＯＣＴ画面２３０Ｌの太枠を緑色、３Ｄ画面２１０のＳスライス及びＯＣＴ画面２３０Ｓの太枠を青色とする。
【００７３】
また、利用者がチェックボックス「フレーム表示」のチェックを外すと、画像・グラフ表示手段１６３は、３Ｄ画面２１０に表示されたＡスライス、Ｌスライス及びＳスライスと、ＯＣＴ画面２３０Ａ，２３０Ｌ，２３０Ｓの太枠を非表示とする。
なお、図６では、符号Ａ，Ｌ，Ｓがそれぞれ、Ａスライス、Ｌスライス及びＳスライスを表す（図７も同様）。
【００７４】
Ａスライスは、診断プローブ部３０が照射する計測光の方向（診断プローブ部３０の光軸方向）に沿った第１断層面を表している。つまり、Ａスライスは、図５のＡ軸−Ｂ軸平面に平行な断層面である。
Ｌスライスは、診断プローブ部３０の光軸方向に沿い、かつ、第１断層面に直交する第２断層面を表している。つまり、Ｌスライスは、図５のＡ軸−Ｖ軸平面に平行な断層面である。
Ｓスライスは、診断プローブ部３０の光軸に垂直な断層面を表している。つまり、Ｓスライスは、図５のＢ軸−Ｖ軸平面に平行な断層面である。
【００７５】
オンファス画面２２０は、サンプル９を上表面側から見たサンプル９の表面の情報と、サンプル９の深さ方向の情報とを合成したオンファス画像（正面画像）が表示されている。このオンファス画像には、外表面に本来表れない内部情報も合成されている。
【００７６】
ＯＣＴ画面２３０Ａは、ＡスライスのＯＣＴ画像が表示されている。ここで、テキストボックス「Ａスライスの番号」にスライス番号が入力された場合、画像・グラフ表示手段１６３は、そのスライス番号のＯＣＴ画像をＯＣＴ画面２３０Ａに表示する。さらに、画像・グラフ表示手段１６３は、入力されたスライス番号の位置に、３Ｄ画面２１０のＡスライスを移動させる。
【００７７】
ＯＣＴ画面２３０Ｌは、ＬスライスのＯＣＴ画像が表示されている。ここで、テキストボックス「Ｌスライスの番号」にスライス番号が入力された場合、画像・グラフ表示手段１６３は、そのスライス番号のＯＣＴ画像をＯＣＴ画面２３０Ｌに表示する。さらに、画像・グラフ表示手段１６３は、入力されたスライス番号の位置に、３Ｄ画面２１０のＬスライスを移動させる。
【００７８】
ＯＣＴ画面２３０Ｓは、ＳスライスのＯＣＴ画像が表示されている。ここで、テキストボックス「Ｓスライスの番号」にスライス番号が入力された場合、画像・グラフ表示手段１６３は、そのスライス番号のＯＣＴ画像をＯＣＴ画面２３０Ｓに表示する。さらに、画像・グラフ表示手段１６３は、入力されたスライス番号の位置に、３Ｄ画面２１０のＳスライスを移動させる。
【００７９】
グラフ画面２４０は、ＯＣＴ画面２３０Ａ及びＯＣＴ画面２３０ＬのＯＣＴ画像と対応付けるように、グラフが表示されている。このグラフは、図７のように、サンプル９のＡスライスとＬスライスとが交わる線分Ｇにおいて、干渉光の反射強度を表している。言い換えるなら、このグラフは、図８のように、Ａスライス及びＬスライスのＯＣＴ画像が交差する線分Ｇに位置する画素の画素値を表す。本実施形態では、グラフの横軸が、Ａスライス及びＬスライスのＯＣＴ画像の画素位置を表し、グラフの縦軸が、その位置にある画素の画素値（つまり、干渉光の反射強度）を表す。
【００８０】
なお、グラフ画面２４０を右に９０°回転させているため、グラフの横軸が図面垂直方向となり、グラフの縦軸が図面水平方向となっている。
また、グラフの表示形式として相対値又は絶対値の何れかを選択可能であるが、その詳細は後記する。
【００８１】
図６のユーザインターフェース２５０のボタン「Ｃ」が押された場合、コントラスト調整手段１６２は、図９のコントラスト調整画面３００を表示装置５４に表示する。このコントラスト調整画面３００には、上部にコントラスト設定画面３１０が配置され、下部にコントラスト表示画面３２０が配置されている。
【００８２】
コントラスト設定画面３１０には、スライドバー「レベル値」、「幅値」、「ガンマ値」と、ラジオボタン「画像選択」とが含まれている。
スライドバー「レベル値」は、利用者が、コントラストの中央値を設定するものである。
スライドバー「幅値」は、利用者が、コントラストの調整幅を設定するものである。
スライドバー「ガンマ値」は、利用者が、コントラスト調整が可能となるように弱い信号をガンマ補正する際、ガンマ値を設定するものである。
各スライドバーがドラッグされた場合、コントラスト調整手段１６２は、その操作に応じてコントラストを調整する。
【００８３】
ラジオボタン「画像選択」は、利用者が、コントラストの調整対象となる画面を選択するものである。
「全体」がクリックされた場合、コントラスト調整手段１６２は、オンライン画面２００に含まれる全画面をコントラストの調整対象として選択する。
「Ａ」がクリックされた場合、コントラスト調整手段１６２は、ＯＣＴ画面２３０Ａをコントラストの調整対象として選択する。
「Ｌ」がクリックされた場合、コントラスト調整手段１６２は、ＯＣＴ画面２３０Ｌをコントラストの調整対象として選択する。
「Ｓ」がクリックされた場合、コントラスト調整手段１６２は、ＯＣＴ画面２３０Ｓをコントラストの調整対象として選択する。
「正面」がクリックされた場合、コントラスト調整手段１６２は、オンファス画面２２０をコントラストの調整対象として選択する。
「３Ｄ」がクリックされた場合、コントラスト調整手段１６２は、３Ｄ画面２１０をコントラストの調整対象として選択する。
【００８４】
コントラスト表示画面３２０には、コントラスト設定画面３１０で調整されたコントラストが表示されている。ここで、コントラスト表示画面３２０の破線は、スライドバー「レベル値」で設定されたコントラストの中央値を表している。また、コントラスト表示画面３２０の一点鎖線は、スライドバー「幅値」で設定されたコントラストの調整幅を表している。
【００８５】
図６に戻り、表示装置５４の画面表示例について、説明を続ける。
ユーザインターフェース２６０のチェックボックス「疑似カラー」がチェックされた場合、画像・グラフ表示手段１６３は、オンライン画面２００に含まれる３Ｄ画像、オンファス画像及びＯＣＴ画像を疑似カラーで表示する。
一方、チェックボックス「疑似カラー」のチェックが外された場合、画像・グラフ表示手段１６３は、オンライン画面２００に含まれる３Ｄ画像、オンファス画像及びＯＣＴ画像をグレースケールで表示する。
【００８６】
ボタン「拡大表示」がクリックされた場合、画像・グラフ表示手段１６３は、別ウインドウにグラフを拡大表示する。
ボタン「相対値ＣＳＶ」がクリックされた場合、表示形式選択手段１６１は、表示形式として、相対値表示を選択する。そして、画像・グラフ表示手段１６３は、グラフを相対値で表示する。さらに、ファイル出力手段１６４は、相対値で表されたＣＳＶファイル１２４を生成し、記憶手段１２０に格納する。
ボタン「絶対値ＣＳＶ」がクリックされた場合、表示形式選択手段１６１は、表示形式として、絶対値表示を選択する。そして、画像・グラフ表示手段１６３は、グラフを絶対値で表示する。さらに、ファイル出力手段１６４は、絶対値で表されたＣＳＶファイル１２４を生成し、記憶手段１２０に格納する。
ボタン「ファイル変換」がクリックされた場合、ファイル出力手段１６４は、Ａスライス、Ｌスライス及びＳスライスのＯＣＴ画像を画像ファイル１２５として、記憶手段１２０に格納する。
【００８７】
なお、図示を省略したが、オンライン画面２００にボタン「Ｐｒｅｖｉｅｗ」及びボタン「Ｍｅａｓｕｒｅ」を設けてもよい。これらボタンを入力装置Ｍでクリックすることで、プレビュー指示、又は、測定指示を撮影制御手段１４０に入力できる。
【００８８】
＜ＯＣＴ画像及びグラフの表示形式＞
図１０，図１１を参照し、ＯＣＴ画像及びグラフの表示形式について説明する（適宜図４参照）。
【００８９】
絶対値表示が選択された場合、画像・グラフ表示手段１６３は、図１０（ａ）のように縦軸が絶対値（デシベル値）で表されたグラフを表示する。この場合、干渉光の反射強度が常に同一基準（絶対値）でグラフに表示される。従って、同一のサンプル９を異なる時間に撮影すれば、そのサンプル９において、干渉光の反射強度の経時変化を定量的に把握できる。さらに、複数のサンプル９を撮影すれば、異なるサンプル９の間で干渉光の反射強度を定量的に比較できる。
なお、絶対値が選択された場合でも、ＯＣＴ画像は、図１１のように相対値で表示される。
【００９０】
相対値表示が選択された場合、画像・グラフ表示手段１６３は、図１０（ｂ）のように縦軸が相対値で表されたグラフと、図１１のようにＯＣＴ画像の各画素の画素値が相対値で表されたＯＣＴ画像とを表示する。この場合、干渉光の反射強度が偏っている場合（つまり、ＯＣＴ画像の各画素の画素値の分散が少ない場合）でも、グラフの変化やＯＣＴ画像の濃淡が明確になるので、グラフやＯＣＴ画像が見やすくなる。
なお、ＯＣＴ画面２３０Ａに表示されたＡスライスのＯＣＴ画像を一例として説明したが、Ｌスライス及びＳスライスのＯＣＴ画像も同様に相対値で表示される。
【００９１】
［ＯＣＴ制御装置の動作］
図１２を参照し、ＯＣＴ制御装置１００が各画像及びグラフを表示する動作について説明する（適宜図４参照）。
【００９２】
図１２のように、ＯＣＴ制御装置１００は、ＯＣＴ画像生成手段１５２によって、ＯＣＴ画像を生成する（ステップＳ１）。
ＯＣＴ制御装置１００は、オンファス画像生成手段１５１によって、オンファス画像を生成し、レンダリング手段１５３によって、３Ｄ画像を生成する（ステップＳ２）。
【００９３】
ＯＣＴ制御装置１００は、表示形式選択手段１６１によって、グラフの表示形式を利用者に選択させる（ステップＳ３）。
ＯＣＴ制御装置１００は、画像・グラフ表示手段１６３によって、ステップＳ３で相対値が選択されたか否かを判定する（ステップＳ４）。
【００９４】
相対値が選択された場合（ステップＳ４でＹｅｓ）、ＯＣＴ制御装置１００は、画像・グラフ表示手段１６３によって、グラフを相対値で表示する（ステップＳ５）。
相対値が選択されていない場合（ステップＳ４でＮｏ）、ＯＣＴ制御装置１００は、画像・グラフ表示手段１６３によって、グラフを絶対値で表示する（ステップＳ６）。
ＯＣＴ制御装置１００は、画像・グラフ表示手段１６３によって、相対値でＯＣＴ画像を表示すると共に、オンファス画像及び３Ｄ画像を表示し（ステップＳ７）、処理を終了する。
【００９５】
［作用・効果］
以上のように、本願発明の実施形態に係るＯＣＴ制御装置１００は、図８のように、グラフをＯＣＴ画像に対応付けて表示するので、干渉光の反射強度の細かな変動を目視しやすくなる。これによりＯＣＴ制御装置１００では、サンプル９の内部に存在する散乱体や反射体からの反射強度を定量的に把握しやすくなり、ＯＣＴ画像を用いた診察をより正確に行うことができる。
【００９６】
さらに、ＯＣＴ制御装置１００は、Ａスライス及びＬスライスが交わる線分Ｇにおけるグラフを表示するので、グラフがサンプル９のどの部分についての反射強度を表しているかを利用者が直感的に把握でき、ＯＣＴ画像を用いた診察をより正確に行うことができる。
【００９７】
ここで、グラフ及びＯＣＴ画像を相対値で表示すれば、ＯＣＴ制御装置１００は、干渉光の反射強度が偏っている場合でも、グラフ及びＯＣＴ画像が見やすくなり、ＯＣＴ画像を用いた診察をより正確に行うことができる。
また、ＯＣＴ制御装置１００は、ＯＣＴ画像を相対値で表示することでＯＣＴ画像を見やすくし、グラフを絶対値で表示することで定量的な反射強度の把握、比較が可能となる。
【００９８】
以上、本願発明の各実施形態を詳述してきたが、本願発明は前記した実施形態に限られるものではなく、本願発明の要旨を逸脱しない範囲の設計変更等も含まれる。
【００９９】
ＯＣＴ制御装置は、光源で用いるレーザの性能として、可干渉距離（コヒーレント長）が１０ｍｍ以上の高コヒーレントなものに限定されるものではない。
また、前記した実施形態では、ＳＳ−ＯＣＴ方式を用いて説明したが、ＳＤ（Spectrum Domain）−ＯＣＴやＴＤ（Time Domain）−ＯＣＴを用いてもよい。
本願発明において、被写体は、歯牙に限定されるものではない。また、歯科以外の医療機器、非破壊検査等に本願発明を適用してもよい。
【０１００】
前記した実施形態では、ＯＣＴ装置に内蔵されたＯＣＴ制御装置が、グラフをＯＣＴ画像に対応付けて表示することとして説明したが、本願発明は、これに限定されない。
ＯＣＴ制御装置は、グラフに変えて又はグラフに併記して、ＯＣＴ画像に予め設定した線分上における所望の位置の反射強度の数値を表示してもよい。
【０１０１】
図１３のように、ＯＣＴ装置１が生成した各画像や患者ファイルをビューワＰＣ（光干渉断層画像表示制御装置）２で表示してもよい。例えば、ビューワＰＣ２は、一般的なパーソナルコンピュータに閲覧用ソフトウェア（ビューワ）をインストールしたものである。
【０１０２】
ビューワＰＣ２は、記憶手段１２０と、表示制御手段１６０Ｂと、ＯＣＴ画像入力手段（光干渉断層画像入力手段）１８０とを備える。
表示制御手段１６０Ｂは、記憶手段１２０に記憶された各画像及び患者ファイルに基づいて、ビューワＰＣ２の画像表示を制御するものである。この表示制御手段１６０Ｂは、図４の表示制御手段１６０と同様のため、これ以上の説明を省略する。
ＯＣＴ画像入力手段１８０は、ＯＣＴ装置１で生成された各画像及び患者ファイルがオンライン又はオフラインで入力され、入力された各画像及び患者ファイルを記憶手段１２０に書き込むものである。
【０１０３】
前記した実施形態では、ＯＣＴ制御装置を独立したハードウェアとして説明したが、本願発明は、これに限定されない。例えば、コンピュータが備えるＣＰＵ、メモリ、ハードディスク等のハードウェア資源を、ＯＣＴ制御装置として協調動作させるプログラムで実現することもできる。このプログラムは、通信回線を介して配布してもよく、ＣＤ−ＲＯＭやフラッシュメモリ等の記録媒体に書き込んで配布してもよい。
【符号の説明】
【０１０４】
１，１Ａ  ＯＣＴ装置（光干渉断層画像生成装置）
２  ビューワＰＣ（光干渉断層画像表示制御装置）
９  サンプル（被写体）
１０  光学ユニット部
１１  光源
１２  カップラ
１３  サンプルアーム
１４  サーキュレータ
１５  偏光コントローラ
１６  カップラ
１７  レファレンスアーム
１８  サーキュレータ
１９  コリメータレンズ
２０  集光レンズ
２１  レファレンスミラー
２２  偏光コントローラ
２３  ディテクタ
３０  診断プローブ部
３１  シャッタ
３２  コリメータレンズ
３３  ガルバノミラー
３３Ｘ  Ｘ方向ガルバノミラー
３３Ｙ  Ｙ方向ガルバノミラー
３４  集光レンズ
５０  制御ユニット部
５１  ＡＤ変換回路
５２  ＤＡ変換回路
５３  ガルバノミラー制御回路
５４  表示装置
６０  ケーブル
７０  単関節アーム
７０Ａ  多関節アーム
８０  フットコントローラ
１００  ＯＣＴ制御装置（光干渉断層画像表示制御装置）
１１０  入出力手段
１２０  記憶手段
１２１  患者ファイル
１２２  患者個人情報
１２３  画像情報
１２４  ＣＳＶファイル
１２５  画像ファイル
１３０  演算手段
１４０  撮影制御手段
１５０  画像処理手段
１５１  オンファス画像生成手段
１５２  ＯＣＴ画像生成手段
１５３  レンダリング手段
１６０，１６０Ｂ  表示制御手段
１６１  表示形式選択手段
１６２  コントラスト調整手段
１６３  画像・グラフ表示手段
１６４  ファイル出力手段
１７０  患者ファイル生成手段
１８０  ＯＣＴ画像入力手段（光干渉断層画像入力手段）
２００  オンライン画面
２１０  ３Ｄ画面
２２０  オンファス画面
２３０Ａ，２３０Ｌ，２３０Ｓ  ＯＣＴ画面
２４０  グラフ画面
２５０，２６０  ユーザインターフェース
３００  コントラスト調整画面
３１０  コントラスト設定画面
３２０  コントラスト表示画面
Ｍ  入力装置
【図１】
0006668061.tif 000002
【図２】
0006668061.tif 000003
【図３】
0006668061.tif 000004
【図４】
0006668061.tif 000005
【図５】
0006668061.tif 000006
【図６】
0006668061.tif 000007
【図７】
0006668061.tif 000008
【図８】
0006668061.tif 000009
【図９】
0006668061.tif 000010
【図１０】
0006668061.tif 000011
【図１１】
0006668061.tif 000012
【図１２】
0006668061.tif 000013
【図１３】
0006668061.tif 000014